(57)【要約】【課題】異常確認信号にシステム時刻情報を付与して送信することにより、居室親機において自動的にかつ高頻度で親機時刻情報を更新できるようにする。【解決手段】集合住宅インターホンシステムにおいて、集合玄関機４と、居室親機１ａと、制御機３とで構成され、制御機は、当該制御機にて計時されるシステム時刻情報を保存するための制御機記憶部３２と、親機ラインの線路異常、居室親機の動作異常を確認するための制御データに制御機記憶部から読み出されるシステム時刻情報を付与した異常確認信号を生成する制御機ＣＰＵ３１とを備え、居室親機は、当該居室親機にて計時される親機時刻情報を保存するための親機記憶部２６と、異常確認信号に付与されたシステム時刻情報及び親機記憶部から読み出される親機時刻情報の照合を行い、当該時刻情報の整合を行うための親機ＣＰＵ１１とを備える。【選択図】図１
2009005281.tif 000002
【特許請求の範囲】
【請求項１】
集合住宅の集合玄関に設置される集合玄関機（４）と、前記集合住宅の複数の住戸にそれぞれ設置され個別の居室ＩＤが割り当てられ、前記集合玄関機からの呼び出しに応答して通話を成立させるための居室親機（１ａ、１ｂ、・・・）と、玄関機ライン（Ｌａ、Ｌｂ）を経由して接続される前記集合玄関機、親機ライン（Ｌ１ａ、Ｌ１ｂ、・・・Ｌｎａ、Ｌｎｂ）を経由して接続される前記居室親機をそれぞれ制御するための制御機（３）とで構成され、
前記制御機は、当該制御機にて計時されるシステム時刻情報を保存するための制御機記憶部（３２）と、前記親機ラインの線路異常、前記居室親機の動作異常を確認するための制御データに前記制御機記憶部から読み出される前記システム時刻情報を付与した異常確認信号を生成する制御機ＣＰＵ（３１）とを備え、
前記居室親機は、当該居室親機にて計時される親機時刻情報を保存するための親機記憶部（２６）と、前記異常確認信号に付与された前記システム時刻情報及び前記親機記憶部から読み出される前記親機時刻情報の照合を行い、当該各時刻情報の整合を行うための親機ＣＰＵ（１１）とを備えたことを特徴とする集合住宅インターホンシステム。
【請求項２】
前記制御機ＣＰＵは、前記システム時刻情報及び前記親機時刻情報を照合させ、当該各時刻情報の整合を行う当該居室親機を個別に指定するための前記居室ＩＤを、前記異常確認信号に付与することを特徴とする請求項１記載の集合住宅インターホンシステム。
【請求項３】
前記親機ＣＰＵは、前記親機時刻情報を、何れかの居室親機に送られた異常確認信号に付与されたシステム時刻情報に照合させ、当該各時刻情報の整合を行うことを特徴とする請求項１記載の集合住宅インターホンシステム。
【請求項４】
前記制御機ＣＰＵは、予め設定された時間に前記異常確認信号を生成することを特徴とする請求項１乃至請求項３のうち何れか１項記載の集合住宅インターホンシステム。
【請求項５】
前記親機ＣＰＵは、前記システム時刻情報及び前記親機時刻情報の照合による当該各時刻情報の整合が失敗したときに生成する時刻情報未整合信号を前記制御機に送出することを特徴とする請求項１乃至請求項４のうち何れか１項記載の集合住宅インターホンシステム。
【請求項６】
前記親機ＣＰＵは、前記システム時刻情報及び前記親機時刻情報の照合による当該各時刻情報の整合が失敗したことを警報報知することを特徴とする請求項５記載の集合住宅インターホンシステム。
【請求項７】
前記制御機ＣＰＵは、前記時刻情報未整合信号の受信による前記システム時刻情報及び前記親機時刻情報の整合の失敗、前記親機ラインの線路異常、前記居室親機の動作異常のうち少なくとも一つを検出して警報報知することを特徴とする請求項５記載の集合住宅インターホンシステム。
【請求項８】
前記制御機は、前記集合住宅の管理室内に設置され、前記集合玄関機又は前記居室親機からの呼び出しに応答して通話を成立させるとともに前記居室親機を呼び出して通話を成立させることができる管理室親機（５）が管理室ライン（Ｌ３）を経由して接続可能であり、
前記制御機ＣＰＵは、前記時刻情報未整合信号の受信による前記システム時刻情報及び前記親機時刻情報の整合の失敗、前記親機ラインの線路異常、前記居室親機の動作異常のうち少なくとも一つを検出して前記管理室親機にて警報報知することを特徴とする請求項５記載の集合住宅インターホンシステム。
【発明の詳細な説明】
【技術分野】
【０００１】
本発明は、集合住宅インターホンシステムに係り、特に居室親機と制御機との時刻整合を自動的に高頻度で行うことを可能とする集合住宅インターホンシステムに関する。
【背景技術】
【０００２】
集合住宅インターホンシステムにおいては、来訪者が集合玄関機から呼出を行うと、集合玄関機に内蔵されたカメラにより来訪者の映像を撮像し、居室親機に出画するとともにその映像を居室親機に内蔵する録画手段により録画することが行われている。このような場合に、居室親機では、居室親機の時刻管理機能に基づいて時刻情報を付与して録画を行っている。また制御機では、集合玄関機から居室親機への呼出等の履歴を制御機の時刻管理機能に基づいて時刻情報を付与して記憶するようにしている。
【０００３】
このような従来の集合住宅インターホンシステムでは、制御機および居室親機における時刻情報を各々の時刻管理機能により個々に設定する必要があったため、各々の個体差による誤差が累積され、長期間経過後に制御機および各々の居室親機において時刻情報に大きな差異が生じることがあった。このため、居室親機で録画された映像に付与された時刻情報と制御機で記憶された履歴の時刻情報が同一とならない不都合が生じることがあった。
【０００４】
そこで、上記のように個々に時刻情報を設定する煩わしさを解消するために、制御機からの時刻情報を居室親機に自動的に伝送させる技術が開発されている（例えば、特許文献１参照）。
【０００５】
特許文献１に記載の発明では、システム設置時に管理人室におけるメインコントローラ側で時刻設定を登録しておけば、住宅情報盤（居室親機）から電源の通電時にメインコントローラの制御盤にデータ要求コマンドを送出することにより、制御盤が伝送されてきたデータ要求コマンドを受信し、制御盤のメインクロックが計時出力している日付および時刻データを住宅情報盤に返信する。そして住宅情報盤では日付および時刻データを受信すると、カレンダークロックの時刻設定を行って計時を開始させるというものである。
【０００６】
【特許文献１】特開平５−１７４２８０号公報
【発明の開示】
【発明が解決しようとする課題】
【０００７】
上記特許文献１に記載の発明では、制御機および居室親機における時刻情報を各々の時刻管理機能により個々に設定する必要はなくなったが、居室親機側の通電開始により時刻情報が更新されるので個々の居室親機で時刻情報の更新時期が一定ではなく、集合住宅全体として時刻情報の更新時期の整合が取れないという問題があった。
【０００８】
また、居室親機の通電開始時においてのみ時刻情報が更新されるので、居室親機の通電状態が長く続いた場合には許容公差を超えて時刻情報のずれが生じる虞もあった。
【０００９】
本発明は、上記難点を解消するためになされたもので、異常確認信号にシステム時刻情報を付与して送信することにより、居室親機において自動的にかつ高頻度で親機時刻情報を更新できるようにしたものである。
【課題を解決するための手段】
【００１０】
上記課題を解決するために本発明による集合住宅インターホンシステムの第１の態様は、集合住宅の集合玄関に設置される集合玄関機と、集合住宅の複数の住戸にそれぞれ設置され個別の居室ＩＤが割り当てられ、集合玄関機からの呼び出しに応答して通話を成立させるための居室親機と、玄関機ラインを経由して接続される集合玄関機、親機ラインを経由して接続される居室親機をそれぞれ制御するための制御機とで構成され、制御機は、当該制御機にて計時されるシステム時刻情報を保存するための制御機記憶部と、親機ラインの線路異常、居室親機の動作異常を確認するための制御データに制御機記憶部から読み出されるシステム時刻情報を付与した異常確認信号を生成する制御機ＣＰＵとを備え、居室親機は、当該居室親機にて計時される親機時刻情報を保存するための親機記憶部と、異常確認信号に付与されたシステム時刻情報及び親機記憶部から読み出される親機時刻情報の照合を行い、当該各時刻情報の整合を行うための親機ＣＰＵとを備えたことを特徴とする。
【００１１】
また、本発明による集合住宅インターホンシステムの第２の態様は、第１の態様において、制御機ＣＰＵは、システム時刻情報及び親機時刻情報を照合させ、当該各時刻情報の整合を行う当該居室親機を個別に指定するための居室ＩＤを、異常確認信号に付与することを特徴とする。
【００１２】
さらに、本発明による集合住宅インターホンシステムの第３の態様は、第１の態様において、親機ＣＰＵは、親機時刻情報を、何れかの居室親機に送られた異常確認信号に付与されたシステム時刻情報に照合させ、当該各時刻情報の整合を行うことを特徴とする。
【００１３】
また、本発明による集合住宅インターホンシステムの第４の態様は、第１から第３の態様において、制御機ＣＰＵは、予め設定された時間に異常確認信号を生成することを特徴とする。
【００１４】
さらに、本発明による集合住宅インターホンシステムの第５の態様は、第１から第４の態様において、親機ＣＰＵは、システム時刻情報及び親機時刻情報の照合による当該各時刻情報の整合が失敗したときに生成する時刻情報未整合信号を制御機に送出することを特徴とする。
【００１５】
また、本発明による集合住宅インターホンシステムの第６の態様は、第５の態様において、親機ＣＰＵは、システム時刻情報及び親機時刻情報の照合による当該各時刻情報の整合が失敗したことを警報報知することを特徴とする。
【００１６】
さらに、本発明による集合住宅インターホンシステムの第７の態様は、第５の態様において、制御機ＣＰＵは、時刻情報未整合信号の受信によるシステム時刻情報及び親機時刻情報の整合の失敗、親機ラインの線路異常、居室親機の動作異常のうち少なくとも一つを検出して警報報知することを特徴とする。
【００１７】
また、本発明による集合住宅インターホンシステムの第８の態様は、第５の態様において、制御機は、集合住宅の管理室内に設置され、集合玄関機又は記居室親機からの呼び出しに応答して通話を成立させるとともに居室親機を呼び出して通話を成立させることができる管理室親機が管理室ラインを経由して接続可能であり、制御機ＣＰＵは、時刻情報未整合信号の受信によるシステム時刻情報及び親機時刻情報の整合の失敗、親機ラインの線路異常、居室親機の動作異常のうち少なくとも一つを検出して管理室親機にて警報報知することを特徴とする。
【発明の効果】
【００１８】
本発明の集合住宅インターホンシステムの第１の態様によれば、制御機（システム側）で使用するシステム時刻情報と居室親機（端末側）で使用する親機時刻情報の整合を容易に行うことができると共に、居室親機個々への時刻情報の設定が不要となるため施工性、利便性を高めることができる。
【００１９】
また、本発明の集合住宅インターホンシステムの第２および第３の態様によれば、制御機から居室親機を個別に指定するための居室ＩＤを異常確認信号に付与して送信するので、特定の居室親機の時刻情報を選択的に更新することができる。
【００２０】
さらに、本発明の集合住宅インターホンシステムの第４の態様によれば、例えば定期的に短い時間間隔毎に高頻度で異常確認信号の生成を設定するか、あるいは毎月１日の特定時間、毎週月曜の特定時間、毎日０時などのように予め異常確認信号の生成を設定しておき、この生成された異常確認信号に時刻情報を付与して送信するので、親機時刻情報を特定の周期でかつ高い頻度で更新することができる。また、深夜などの集合住宅インターホンシステムの稼働状況が比較的低い時間帯に更新することもできるので、稼働が集中しがちな日中の運用に支障を来すことがなく時刻情報の更新を行うことができる。
【００２１】
また、本発明の集合住宅インターホンシステムの第５〜７の態様によれば、時刻情報の整合ができなかった場合、あるいは親機ラインの線路異常、居室親機の動作異常などが生じた場合にはスピーカからの発報、モニタによる表示などにより警報を報知することができるので、不具合を速やかに検出することができ、例えば管理室にその旨を迅速に通知することができるため、集合住宅インターホンシステムにおける高い保全性を確保することができる。
【００２２】
さらに、本発明の集合住宅インターホンシステムの第８の態様によれば、管理室親機で警報を報知することができるので、不具合の状況を居室親機からの通知を待つまでもなく管理室において検出することができ、不具合に対する対応をより迅速に行うことが可能となる。
【発明を実施するための最良の形態】
【００２３】
以下、本発明による集合住宅インターホンシステムの好ましい実施の形態について図面を参照して説明する。
【００２４】
図１は本発明の集合住宅インターホンシステムのシステム構成図を表したものである。
【００２５】
図１において、居室親機１ａ、１ｂ、・・・は親機ラインのデータ線Ｌ１ａおよび音声・映像線Ｌ１ｂを経由して制御機３と接続されており、さらに制御機３は玄関機ラインのデータ線Ｌａおよび音声・映像線Ｌｂを経由してカメラ付きの集合玄関機４に接続されている。また、制御機３は管理室親機５と管理室ラインＬ３を経由して接続されている。なお、居室親機１ａ、１ｂ、・・・にはそれぞれカメラ付きの玄関子機２ａ、２ｂ、・・・が接続されている。
【００２６】
なお、ここでデータ線Ｌ１ａおよび音声・映像線Ｌ１ｂには複数の住戸が接続されて一つの棟が構成されており（例えばＡ棟）、データ線Ｌ２ａおよび音声・映像線Ｌ２ｂにはやはり複数の住戸が接続されて他の棟が構成され（例えばＢ棟）、同様にデータ線Ｌｎａおよび音声・映像線Ｌｎｂまで複数の住戸が接続されてそれぞれ別の棟が構成されている。
【００２７】
図２は一例として居室親機１ａのブロック図を他の構成機器とともに表したものである。なお、上述したＡ棟、Ｂ棟、・・・の表示は省略している。
【００２８】
図２において居室親機１ａは、制御機３とデータ線Ｌ１ａによりデータの送受信を行う親機データ送受インターフェース（以下、Ｉ／Ｆ）１４および制御機３と音声・映像線Ｌ１ｂにより音声および映像の送受信を行う親機音声送受Ｉ／Ｆ１８、親機映像Ｉ／Ｆ２４を備えている。
【００２９】
親機データ送受Ｉ／Ｆ１４は親機ＣＰＵ１１と接続されており、この親機ＣＰＵ１１には個別の居室ＩＤを割り当てるためのＩＤ設定部１２、親機時刻情報の設定などを行う親機操作部２１、集合玄関機または玄関子機のカメラにより撮像された映像を出画するモニタ２２、撮像された映像を記録する録画メモリ２５、集合玄関機や玄関子機から呼出があった場合の呼出音を収納している呼出音データ収納部１５および居室親機で計時される親機時刻情報等を保存する親機記憶部２６がそれぞれ接続されている。
【００３０】
また、親機音声送受Ｉ／Ｆ１８は受話アンプ１９または送話アンプ２７を介して居住者が来訪者あるいは管理者と通話するための送受器２０と接続されており、さらに、親機映像Ｉ／Ｆ２４はモニタ２２および録画メモリ２５と接続されている。
【００３１】
呼出音データ収納部１５はスピーカアンプ１６に接続され、スピーカアンプ１６は呼出音、来訪者の音声あるいは警報などを報知するスピーカ１７に接続されている。また、居住者が来訪者あるいは管理室との間で通話するためのマイク２９がマイクアンプ２８を介して親機ＣＰＵ１１に接続されている。さらに呼出音データ収納部１５は音声送受Ｉ／Ｆ１８および受話アンプ１９、送話アンプ２７に接続されている。
【００３２】
このような居室親機１ａには前述したようにカメラ付きの玄関子機２ａが接続されており、この玄関子機２ａは居室親機１ａ内の玄関音声送受Ｉ／Ｆ２３および玄関映像Ｉ／Ｆ１３とそれぞれ接続されている。
【００３３】
そして、玄関音声送受Ｉ／Ｆ２３は親機音声送受Ｉ／Ｆ１８と受話アンプ１９、送話アンプ２７を結ぶラインに接続されており、玄関映像Ｉ／Ｆ１３はモニタ２２および録画メモリ２５に接続されている。
【００３４】
また、図３は制御機３のブロック図の一例である。図３において制御機３は、制御機にて計時されるシステム時刻情報等を記憶する制御機記憶部３２、システム時刻情報の設定などを行う制御機操作部３９、各居室親機との間でデータの送受信を行う複数の制御機・親機データ送受Ｉ／Ｆ３３−１、・・・３３−ｎ、やはり居室親機との間で音声や映像の送受信を行う複数の制御機・親機音声・映像Ｉ／Ｆ３４−１、・・・３４−ｎを備え、さらに集合玄関機４との間でデータの送受信を行う制御機・玄関機データ送受Ｉ／Ｆ３６、やはり集合玄関機４との間で音声や映像の送受信を行う制御機・玄関機音声・映像Ｉ／Ｆ３７を備えている。
【００３５】
そして、上記した制御機記憶部３２、制御機操作部３９、制御機・親機データ送受Ｉ／Ｆ３３−１・・・３３−ｎ、制御機・玄関機データ送受Ｉ／Ｆ３６はそれぞれ制御機ＣＰＵ３１に接続されている。
【００３６】
また、制御機３は過去の時刻情報の更新状況や親機ラインの線路異常、居室親機の動作異常等の記録を収納している履歴データ収納部３８、集合玄関機と該当の居室親機との間で音声・映像信号を送受信するために信号送受ラインを交換するための音声・映像交換部３５を備えており、上記した制御機・親機音声・映像Ｉ／Ｆ３４−１、・・・３４−ｎ、制御機・玄関機音声・映像Ｉ／Ｆ３７は音声・映像交換部３５に接続され、またこの音声・映像交換部３５および履歴データ収納部３８が親機ＣＰＵ３１にそれぞれ接続されている。
【００３７】
次に、このような本発明の集合住宅インターホンシステムの動作について説明する。なお、従来から公知の動作については説明を省略し、主として本発明の特徴に関する部分についての説明を行うものとする。
【００３８】
図１から図３において、前述したように居室親機１ａは親機ラインのデータ線Ｌ１ａおよび音声・映像線Ｌ１ｂを経由し制御機３へ接続され、さらに集合玄関機４に接続されている。集合玄関機４から呼出操作が行われると、制御機３の音声・映像交換部３５における信号の交換により居室親機１ａと集合玄関機４との呼出通話が可能となる。この時集合玄関機４に内蔵するカメラにより撮像された映像は玄関機ラインの音声・映像線Ｌｂ、制御機３の音声・映像送受Ｉ／Ｆ３７、音声・映像交換部３５、制御機・親機音声・映像送受Ｉ／Ｆ３４−１、音声・映像線Ｌ１ｂ、居室親機１ａの親機映像Ｉ／Ｆ２４を経由しモニタ２２に出画されるほか、録画メモリ２５に親機記憶部２６に記憶されている親機時刻情報と共に記録される。
【００３９】
また、居室親機１ａはカメラ付の玄関子機２ａと接続されており、当該玄関子機２ａの呼出操作により呼出通話が行われ、玄関子機２ａに内蔵されたカメラにより撮像された映像は玄関映像Ｉ／Ｆ１３を経由し、モニタ２２に出画されるほか、録画メモリ２５に親機記憶部２６に記憶されている親機時刻情報と共に記録される。
【００４０】
なお、制御機３は制御機操作部３９により制御機記憶部３２を操作しシステム時刻を設定することができる。また、居室親機１ａは親機操作部２１により親機記憶部２６を操作し親機時刻を設定することもできる。
【００４１】
ここで、制御機３はデータ線Ｌ１ａに居室親機１ａの居室ＩＤを付与した時刻整合情報を含めた異常確認信号を診断信号として発信する。異常確認信号を送信して親機ラインの線路の異常や各居室親機の動作異常を診断するシステムは、通常インターホンシステムに実装されているものであり、この異常確認信号は制御機３から各居室親機に送信されている。
【００４２】
異常確認信号は、制御機３の制御機ＣＰＵ３１において例えば定期的に短い時間間隔毎に高頻度で生成するように設定してもよく、また毎月１日の特定時間（午前０時など）、毎週月曜日の特定時間（午前０時など）あるいは毎日午前０時というような時間に生成するように設定しておくこともできる。
【００４３】
このようにして生成された異常確認信号に居室親機１ａの居室ＩＤを付与した制御機３にて計時されたシステム時刻情報を付与して送信すると、例えば居室親機１ａはＩＤ設定部１２で管理される自ＩＤに対する異常確認信号であることを認識して、この異常確認信号に対して信号受領応答を制御機３へ返信すると共に、異常確認信号に付与されたシステム時刻情報により親機記憶部２６に記憶されている親機時刻情報を更新する。
【００４４】
なお、時刻整合は深夜などの集合住宅インターホンシステムの稼働状況が比較的低い時間帯に更新することもできるので、稼働が集中しがちな日中の運用に支障を来すことがなく時刻情報の更新を行うことができる。
【００４５】
一方、居室親機１ａの居室ＩＤが付与された異常確認信号が送信された場合に、居室親機１ｂはＩＤ設定部１２で管理される自ＩＤに対する異常確認信号ではないためその状況を認識し、この異常確認信号に対しては特に処理を行わないが、システム時刻情報が付与されていることを認識すると、親機時刻情報を更新する。
【００４６】
このように異常確認信号に制御機３からのシステム時刻情報を付与して短期間に繰り返し送信を行うことにより、居室親機の通電時ならばいつでも親機時刻情報を更新することができる。従って、システム設定時に居室親機の時刻情報を設定しておけば、その後は居室親機個々への時刻情報の設定が不要となり、集合住宅インターホンシステムの施工性を高めることができると共に居住者の利便性が高まる。
【００４７】
なお、システム時刻情報と親機時刻情報の照合が行われた時にこれらの時刻整合ができなかった場合には、親機ＣＰＵ１１が時刻情報未整合信号を生成して制御機３に送信することができる。この場合、時刻情報の整合ができなかったことを例えば居室親機のスピーカあるいはモニタなどにより警報報知することが可能である。
【００４８】
また、制御機ＣＰＵ３１は、前述の時刻情報未整合信号を受信した場合、あるいは異常確認信号を送信した結果親機ラインの線路異常若しくは居室親機の動作異常のうちの少なくとも一つを検出した場合には、居室親機のスピーカあるいはモニタなどにより警報報知することができる。このようにすれば何らかのシステム上の不具合に対して迅速に対応することができるのでシステム上高い保全性を確保できる。
【００４９】
さらに、本発明の集合住宅インターホンシステムにおいては、制御機と管理室親機とを接続することが可能であり、制御機ＣＰＵ３１が時刻情報未整合信号を受信した場合、あるいは異常確認信号を送信した結果親機ラインの線路異常若しくは居室親機の動作異常のうちの少なくとも一つを検出した場合に、管理室親機５にて警報を報知することも可能である。これにより、居住者からの通知がなくてもシステム上の不具合を管理室にて検出することができるので、より迅速な対応が可能となる。
【図面の簡単な説明】
【００５０】
【図１】本発明の集合住宅インターホンシステムのシステム構成図の一例である。
【図２】本発明の集合住宅インターホンシステムの居室親機のブロック図の一例である。
【図３】本発明の集合住宅インターホンシステムの制御機のブロック図の一例である。
【符号の説明】
【００５１】
１ａ、１ｂ、・・・                        居室親機
２ａ、２ｂ、・・・                        玄関子機
３                                        制御機
４                                        集合玄関機
５                                        管理室親機
１１                                      親機ＣＰＵ
２６                                      親機記憶部
３１                                      制御機ＣＰＵ
３２                                      制御機記憶部
Ｌａ、Ｌｂ、・・・                        玄関機ライン
Ｌ１ａ、Ｌ２ａ、・・・Ｌｎａ、Ｌｎｂ      親機ライン
【図１】
2009005281.tif 000003
【図２】
2009005281.tif 000004
【図３】
2009005281.tif 000005